(57)【要約】【課題】  指針による受光面積の変動を最小限に抑えて、各セルの受光量をほぼ均等にし、出力電流を最大限に向上させることができるソーラーパネルおよび時計を提供する。【解決手段】  中心部の貫通孔３ａに挿入された指針軸６に取り付けられた指針７が上方を運針するソーラーパネル３であり、貫通孔３ａを中心に円形状に形成された中央セル１０と、この中央セル１０の外周にそれぞれほぼ同じ受光面積で形成された複数の外周セル１１〜１５とを有し、中央セル１０に指針７が重なる遮光面積分を考慮して、中央セル１０の受光面積が複数の外周セル１１〜１５の各受光面積よりも大きく形成されている。従って、中央セル１０に指針７が常に重なり、複数の外周セル１１〜１５のいずれかに指針７の一部が重なっても、指針７の重なりによる中央セル１０および複数の外周セル１１〜１５の各受光面積の変動を最小限に抑えることができる。【選択図】        図３
2015072251.tif 000002
【特許請求の範囲】
【請求項１】
中心部に設けられた貫通孔に指針軸が挿入され、この指針軸に取り付けられた指針が上方を運針するソーラーパネルにおいて、
前記貫通孔の周囲に形成された中央セルと、この中央セルの外周にそれぞれほぼ同じ受光面積で形成された複数の外周セルとを有し、
前記中央セルに前記指針が重なる遮光面積分を考慮して、前記中央セルの受光面積が前記複数の外周セルの各受光面積よりも大きく形成されていることを特徴とするソーラーパネル。
【請求項２】
請求項１に記載のソーラーパネルにおいて、前記中央セルに前記指針が重なる前記遮光面積は、前記指針による最大遮光面積と最小遮光面積とのほぼ平均遮光面積であることを特徴とするソーラーパネル。
【請求項３】
請求項１または請求項２に記載のソーラーパネルにおいて、前記中央セルと前記複数の外周セルとのうち、少なくとも１つ以上のセルによって囲われる非受光領域が設けられていることを特徴とするソーラーパネル。
【請求項４】
請求項１〜請求項３のいずれかに記載のソーラーパネルにおいて、前記中央セルは、前記貫通孔の周囲に沿って形成された第１中央セルと、この第１中央セルの外周に沿って形成された第２中央セルと、を備えていることを特徴とするソーラーパネル。
【請求項５】
請求項１〜請求項３のいずれかに記載のソーラーパネルにおいて、前記中央セルは、前記複数の外周セルよりも少ない数で、前記ソーラーパネルの中心部を境に複数に分割されていることを特徴とするソーラーパネル。
【請求項６】
請求項１〜請求項５のいずれかに記載のソーラーパネルにおいて、前記複数の外周セルは、前記中央セルの外周に位置する内周側の複数の外周セルと、これら内周側の複数の外周セルの外周に位置する外周側の複数の外周セルとを有していることを特徴とするソーラーパネル。
【請求項７】
請求項１〜請求項６のいずれかに記載のソーラーパネルにおいて、前記中央セルと前記複数の外周セルとは、各接続部によって直列に接続されていることを特徴とするソーラーパネル。
【請求項８】
請求項１〜請求項７のいずれかに記載のソーラーパネルにおいて、前記ソーラーパネルの表面側には見切り部が設けられており、前記中央セルおよび前記複数の外周セルを直列に接続する前記各接続部は前記見切り部に対応して設けられていることを特徴とするソーラーパネル。
【請求項９】
請求項８に記載のソーラーパネルにおいて、前記中央セルおよび前記複数の外周セルの各境界は前記見切り部に応じた形状で形成されていることを特徴とするソーラーパネル。
【請求項１０】
請求項１〜請求項９のいずれかに記載のソーラーパネルを備えていることを特徴とする時計。
【発明の詳細な説明】
【技術分野】
【０００１】
この発明は、腕時計などの指針式の時計、あるいはメータなどの指針式の計器類に用いられるソーラーパネルおよびそれを備えた時計に関する。
【背景技術】
【０００２】
例えば、腕時計に用いられているソーラーパネルは、特許文献１に記載されているように、複数のソーラーセルをそれぞれ均等な面積の扇状に形成し、これら複数のソーラーセルを円形状に配列して直列に接続した構成のものが知られている。
【先行技術文献】
【特許文献】
【０００３】
【特許文献１】特開平１０−３９０５７号公報
【０００４】
このソーラーパネルは、その中心に貫通孔が設けられ、この貫通孔に指針軸が挿入されて上方に突出し、この突出した指針軸の上端部に指針が取り付けられ、この指針が複数のソーラーセルの上方を運針するように構成されている。
【発明の概要】
【発明が解決しようとする課題】
【０００５】
このようなソーラーパネルでは、複数のソーラーセル全体で得られる出力電流が、ダイオードなどの電気的な特性によって、複数のソーラーセルのうち、最も出力電流の小さいものと同じ値になる。このため、複数のソーラーセルのいずれかに指針が重なると、この指針が重なったソーラーセルの受光面積が他のソーラーセルの受光面積よりも小さくなる。
【０００６】
このため、このソーラーパネルでは、指針が重なったソーラーセルの出力電流が他のソーラーセルの出力電流よりも小さくなり、複数のソーラーセル全体で得られる出力電流が、最も小さいソーラーセルの出力電流と同じ値になるため、複数のソーラーセル全体の出力電流の損失が大きいという問題がある。
【０００７】
この発明が解決しようとする課題は、指針による受光面積の変動を最小限に抑えて、各セルの受光量をほぼ均等にし、出力電流を最大限に向上させることができるソーラーパネルおよび時計を提供することである。
【課題を解決するための手段】
【０００８】
この発明は、中心部に設けられた貫通孔に指針軸が挿入され、この指針軸に取り付けられた指針が上方を運針するソーラーパネルにおいて、前記貫通孔の周囲に形成された中央セルと、この中央セルの外周にそれぞれほぼ同じ大きさの受光面積で形成された複数の外周セルとを有し、前記中央セルに前記指針が重なる遮光面積分を考慮して、前記中央セルの受光面積が前記複数の外周セルの各受光面積よりも大きく形成されていることを特徴とするソーラーパネルである。
【発明の効果】
【０００９】
この発明によれば、中央セルおよび複数の外周セルの上方を指針が運針する際に、中央セルに指針が常に重なり、複数の外周セルのいずれかに指針の一部が重なっても、指針の重なりによって生じる中央セルおよび複数の外周セルの各受光面積の変動を最小限に抑えることができる。このため、中央セルおよび複数の外周セルのすべてのセルの受光量をほぼ均等にすることができるので、セル全体の出力電流を高い値で安定させることができ、これによりセル全体の出力電流を最大限に向上させることができる。
【図面の簡単な説明】
【００１０】
【図１】この発明を指針式の腕時計に適用した第１実施形態における時計モジュールを示した拡大断面図である。
【図２】図１に示された時計モジュールの指針を示し、（ａ）は秒針を示した拡大正面図、（ｂ）は分針を示した拡大正面図、（ｃ）は時針を示した拡大正面図である。
【図３】図１に示された時計モジュールのソーラーパネルを示した拡大正面図である。
【図４】図３に示されたソーラーパネルの接続部のＡ−Ａ矢視における拡大断面図である。
【図５】この発明を指針式の腕時計に適用した第２実施形態におけるソーラーパネルを示した拡大正面図である。
【図６】この発明を指針式の腕時計に適用した第３実施形態における腕時計の拡大正面図である。
【図７】図６に示された腕時計のソーラーパネルを示した拡大正面図である。
【図８】図７に示された第３実施形態におけるソーラーパネルの変形例を示した拡大正面図である。
【図９】この発明を指針式の腕時計に適用した第４実施形態におけるソーラーパネルを示した拡大正面図である。
【図１０】この発明を指針式の腕時計に適用した第５実施形態におけるソーラーパネルを示した拡大正面図である。
【図１１】この発明を指針式の腕時計に適用した第６実施形態を示し、（ａ）はその時計モジュールを示した拡大正面図、（ｂ）はそのソーラーパネルを示した拡大正面図である。
【図１２】この発明を指針式の腕時計に適用した第７実施形態を示し、（ａ）はその時計モジュールを示した拡大正面図、（ｂ）はそのソーラーパネルを示した拡大正面図である。
【発明を実施するための形態】
【００１１】
（第１実施形態）
以下、図１〜図４を参照して、この発明を指針式の腕時計に適用した第１実施形態について説明する。
この指針式の腕時計は、図１に示すように、時計モジュール１を備えている。この時計モジュール１は、腕時計ケース（図示せず）内に配置されるものであり、ハウジング２を有している。
【００１２】
このハウジング２の上面には、図１に示すように、ソーラーパネル３が配置されており、このソーラーパネル３の上面には、文字板４が配置されている。また、ハウジング２の内部には、時計ムーブメント５が設けられている。この時計ムーブメント５は、指針軸６を回転させることにより、時針７ａ、分針７ｂ、秒針７ｃなどの指針７を運針させるように構成されている。
【００１３】
この場合、文字板４は、透明または半透明のフィルムからなり、ほぼ円形状に形成されている。この文字板４の上面における周縁部には、時字（図示せず）が所定間隔で設けられている。指針軸６は、図１に示すように、筒状の時針軸６ａと、この時針軸６ａ内に回転可能に配置された円筒状の分針軸６ｂと、この分針軸６ｂ内に回転可能に配置された秒針軸６ｃとを有している。
【００１４】
この指針軸６は、図１に示すように、ソーラーパネル３の中央部に設けられた貫通孔３ａと、文字板４の中央部に設けられた貫通孔４ａとを通して、文字板４の上方に突出するように構成されている。また、指針７は、図１および図２に示すように、指針軸６の上端部にそれぞれ取り付けられている。
【００１５】
すなわち、時針７ａは、図１および図２に示すように、時針軸６ａの上端部に取り付けられており、分針７ｂは分針軸６ｂの上端部に取り付けられており、さらに秒針７ｃは秒針軸６ｃの上端部に取り付けられている。これにより、時計ムーブメント５は、時針軸６ａ、分針軸６ｂ、秒針軸６ｃなどの指針軸６を回転させて、時針７ａ、分針７ｂ、秒針７ｃなどの指針７を文字板４の上方で運針させるように構成されている。
【００１６】
この場合、時針７ａ、分針７ｂ、秒針７ｃのうち、分針７ｂは、図２（ａ）〜図２（ｃ）に示すように、時針７ａおよび秒針７ｃに比べて、表面積が最も大きく形成されている。すなわち、分針７ｂは、その長さが時針７ａよりも長く、かつ秒針７ｃとほぼ同じ長さに形成されていると共に、横幅（長手方向と直交する方向の長さ）が時針７ａよりも少し狭く（短く）、かつ秒針７ｃよりも広く（長く）形成されている。
【００１７】
ところで、ソーラーパネル３は、図１および図３に示すように、文字板４とほぼ同じ大きさの円形状に形成されている。このソーラーパネル３は、その中心部に設けられた貫通孔３ａを中心に円形状に形成された中央セル１０と、この中央セル１０の外周にそれぞれほぼ同じ大きさの受光面積で形成された複数の外周セル１１〜１５とを有している。これら中央セル１０および複数の外周セル１１〜１５は、図３および図４に示すように、フィルム基板８の上面に貫通孔３ａを中心に円形状に配列されている。
【００１８】
この場合、中央セル１０および複数の外周セル１１〜１５それぞれは、図４に示すように、フィルム基板８上にアルミニウムなどの金属からなる下部電極１６がパターン形成され、この下部電極１６上にアモルファスシリコン（ａ−Ｓｉ）などの半導体層からなる発電層１７がパターン形成され、この発電層１７上にＩＴＯ（Indium  Tin  Oxide）などの透明な上部電極１８がパターン形成され、この上部電極１８が絶縁性を有する透明な合成樹脂からなる保護膜１９によって覆われた構成になっている。
【００１９】
これにより、中央セル１０および複数の外周セル１１〜１５は、図１および図４に示すように、それぞれ外部光が文字板４を透過して照射されると、この照射された光が透明な上部電極１８を通して発電層１７に照射され、この照射された光によって発電層１７が起電力を発生するように構成されている。
【００２０】
ところで、これら中央セル１０および複数の外周セル１１〜１５は、図３に示すように、それぞれ受光量がほぼ同じになるように、各セル１０〜１５の形状および大きさが設定されている。すなわち、中央セル１０は、これに指針７が重なる遮光面積分を考慮して、中央セル１０の受光面積が複数の外周セル１１〜１５の各受光面積よりも大きく形成されている。つまり、この中央セル１０は、その領域内において指針７が重なる最大遮光面積と最小遮光面積とのほぼ平均遮光面積分、中央セル１０の受光面積が複数の外周セル１１〜１５の各受光面積よりも大きく形成されている。
【００２１】
この場合、中央セル１０の領域内において指針７が重なる最大遮光面積とは、図３に示すように、時針７ａ、分針７ｂ、秒針７ｃのいずれもが相互に重なり合わずに、中央セル１０の領域上にバラバラな状態で位置した際に、指針７によって影になる部分の面積である。また、中央セル１０の領域内において指針７が重なる最小遮光面積とは、時針７ａ、分針７ｂ、秒針７ｃのすべてが相互に重なり合って、中央セル１０の領域上に位置した際に、指針７によって影になる部分の面積である。
【００２２】
また、複数の外周セル１１〜１５は、図３に示すように、すべて同じ扇形状で同じ大きさに形成されている。すなわち、複数の外周セル１１〜１５は、その各受光面積が中央セル１０の受光面積よりも、中央セル１０の領域内において指針７が重なる遮光面積分、つまり指針７による最大遮光面積と最小遮光面積とのほぼ平均遮光面積分、小さく形成されている。
【００２３】
これら複数の外周セル１１〜１５は、その各領域に指針７のうち、時針７ａがほとんど重ならず、分針７ｂと秒針７ｃとの各先端部が選択的に重なるように構成されている。このため、中央セル１０は、指針７による影の大部分を安定的に受け止めるために、受光面積が大きく形成されており、複数の外周セル１１〜１５は、指針７による影の影響をほとんど受けないため、すべて同じ受光面積で形成されている。
【００２４】
さらに、これら中央セル１０および複数の外周セル１１〜１５は、図３および図４に示すように、複数の接続部２０によって順次直列に接続されている。すなわち、これら複数の接続部２０は、それぞれ導電ペーストからなり、互いに隣接する各セル１０〜１５の各下部電極１６と、これに隣接する他方のセル１０〜１５の各上部電極１８とを、それぞれ電気的に接続するように構成されている。
【００２５】
この場合、複数の接続部２０は、文字板４の時字や印刷マークなどの受光面積にならない個所に設けられていることが望ましい。例えば、外周セル１１とこれに隣接する外周セル１２とは、図３に示すように、その外周部において接続部２０によって接続されている。この外周セル１２と中央セル１０とは、接続部２０によって接続されている。
【００２６】
同様に、この中央セル１０と外周セル１３とは、図３に示すように、接続部２０によって接続されている。この外周セル１３とこれに隣接する外周セル１４とは、その外周部において接続部２０によって接続されている。さらに、この外周セル１４とこれに隣接する外周セル１５とは、その外周部において接続部２０によって接続されている。
【００２７】
この場合、中央セル１０および複数の外周セル１１〜１５のうち、最終端に位置する２つの外周セル１１、１５は、図３に示すように、接続部２０によって接続されていない。このため、一方の外周セル１１の上部電極１８は、その外周部に位置する出力端子２０ａに接続されており、他方の外周セル１５の下部電極１６は、その外周部に位置する出力端子２０ｂに接続されている。
【００２８】
これら一対の出力端子２０ａ、２０ｂは、時計モジュール１の一対の入力電極（図示せず）に接続されるように構成されている。これにより、ソーラーパネル３は、発電した電力を時計モジュール１の充電池（図示せず）に供給するように構成されている。
【００２９】
次に、このような指針式の腕時計の作用について説明する。
通常は、時計ムーブメント５に電力が供給されていることにより、時計ムーブメント５が動作して指針軸６を回転させ、この指針軸６の回転によって時針７ａ、分針７ｂ、秒針７ｃなどの指針７が文字板４の上方を運針して、時刻を指示する。
【００３０】
このときには、太陽光などの外部光が文字板４に照射され、この照射された外部光が文字板４を透過してソーラーパネル３の各セル１０〜１５にそれぞれ照射される。すると、照射された外部光は、各セル１０〜１５の透明な保護膜１９および透明な上部電極１８をそれぞれ透過して、各発電層１７に照射され、この照射された光によって各発電層１７がそれぞれ発電する。
【００３１】
すなわち、中央セル１０および複数の外周セル１１〜１５の各発電層１７は、外部光が照射されると、その照射量に応じてそれぞれ起電力を発生する。この発生した起電力は、各セル１０〜１５が各接続部２０によって直列に接続されていることにより、最終端の各外周セル１１、１５の各出力端子２０ａ、２０ｂから時計モジュール１の充電池（図示せず）に送られて充電される。
【００３２】
このように、ソーラーパネル３が発電する際には、図３に示すように、文字板４の上方を運針する指針７によってソーラーパネル３に照射される外部光の一部が遮られても、中央セル１０および複数の外周セル１１〜１５が、それぞれほぼ均等に発電して、安定した電力を出力する。
【００３３】
すなわち、中央セル１０および複数の外周セル１１〜１５のうち、中央セル１０では、図３に示すように、時針７ａ、分針７ｂ、秒針７ｃの３つの指針７が常に重なった状態で運針するが、この指針７の重なりを考慮して、中央セル１０の受光面積が複数の外周セル１１〜１５の各受光面積よりも大きく形成されているので、中央セル１０の受光面積が複数の外周セル１１〜１５の各受光面積とほぼ同じなる。
【００３４】
このときには、複数の外周セル１１〜１５のいずれかに、分針７ｂおよび秒針７ｃの各先端部のいずれか一方、または両方が重なる。このため、分針７ｂおよび秒針７ｃの各先端部が重なった個所の外周セル１１〜１５の受光面積が少し小さくなる。これにより、指針７の重なりによって生じる中央セル１０および複数の外周セル１１〜１５の各受光面積の変動が最小限に抑えられる。
【００３５】
このため、中央セル１０および複数の外周セル１１〜１５のすべてのセル１０〜１５の各受光量がほぼ均等になる。これにより、指針７の運針位置に係わらず、ソーラーパネル３全体で出力される出力電流が高い値で安定して得られ、ソーラーパネル３全体で出力される電流値が最大限に高められる。
【００３６】
この場合、中央セル１０は、面積が同一である場合、外周の長さが最も小さくなるのが円であり、その面積が外周セル１１〜１５の各面積よりも広い。このため、例えば円を放射状に均等に分割した既存の各セルと比較して、各セル１０〜１５の必要な領域境界線の合計長さが、既存の各セルの領域境界線の合計長さよりも短くなる。これにより、分割に必要な各セル１０〜１５の面積が小さくなることで、より多くの受光面積が得られる。
【００３７】
例えば、ソーラーパネル３の半径をＲ、中央セル１０の半径をＸ、分割されたセル１０〜１５の個数をＳとすると、
Ｘ＜Ｒ／｛２・π―Ｓ＋１｝・・・・・式１
となるように設定した場合に、各セル１０〜１５の領域境界線の合計長さが短くなる。
【００３８】
すなわち、分割された各セル１０〜１５の個数が６個である場合は、（Ｘ／Ｒ）が（１／（２π―５））よりも小さくなるときに、上記の式１を満足する。このときの中央セル１０は、外周セル１１〜１５よりも大きい。このため、（Ｘ／Ｒ）は（１／√６）よりも大きくなる。このため、（１／√６）＜（Ｘ／Ｒ）＜（１／（２π―５））の範囲で受光面積を広くすることができる。
【００３９】
なお、各セルを５個に分割した場合は、中央セルの受光面積が４つの外周セルよりも大きくなることを考慮すると、上述した場合とは逆に各セルの領域境界線の合計長さが長くなり、上記の式１を満足しなくなるため、外周セルの面積が中央セルの面積よりも大きくなってしまい、受光量の損失を招く。
【００４０】
このように、この指針式の腕時計におけるソーラーパネル３よれば、指針軸６が挿入する中心部の貫通孔３ａを中心に円形状に形成された中央セル１０と、この中央セル１０の外周にそれぞれほぼ同じ大きさの受光面積で形成された複数の外周セル１１〜１５とを有し、指針軸６に取り付けられた指針７が中央セル１０に重なる遮光面積分を考慮して、中央セル１０の受光面積が複数の外周セル１１〜１５の各受光面積よりも大きく形成されているので、指針７による各セル１０〜１５の受光面積の変動を最小限に抑えて、各セル１０〜１５の受光量をほぼ均等にし、出力電流を最大限に向上させることができる。
【００４１】
すなわち、このソーラーパネル３によれば、中央セル１０および複数の外周セル１１〜１５の上方を指針７が運針する際に、中央セル１０に指針７が常に重なり、複数の外周セル１１〜１５のいずれかに指針７の一部が重なっても、指針７が重なることによって生じる中央セル１０および複数の外周セル１１〜１５の各受光面積の変動を最小限に抑えることができる。
【００４２】
このため、中央セル１０および複数の外周セル１１〜１５の各受光量をほぼ均等にすることができるので、指針７の運針位置に係わらず、セル１０〜１５全体の出力電流を高い値で安定させることができ、これによりセル１０〜１５全体の出力電流を最大限に向上させることができる。
【００４３】
この場合、中央セル１０は、これに指針７が重なる最大遮光面積と最小遮光面積とのほぼ平均遮光面積分、中央セル１０の受光面積が複数の外周セル１１〜１５の各受光面積よりも大きく形成されていることにより、中央セル１０に指針７が常に重なって中央セル１０が遮光されても、中央セル１０の受光量と複数の外周セル１１〜１５の各受光量とをほぼ同じ値にすることができる。
【００４４】
このため、複数の外周セル１１〜１５のいずれかに指針７の一部が重なっても、指針７の重なりによって生じる中央セル１０および複数の外周セル１１〜１５の各受光面積の変動を最小限に抑えることができるので、指針７の運針位置に係わらず、中央セル１０および複数の外周セル１１〜１５の各受光量をほぼ均等にすることができる。
【００４５】
また、このソーラーパネル３では、中央セル１０と複数の外周セル１１〜１５とが、各接続部２０によって直列に接続されていることにより、指針７の影響を受け難く、中央セル１０および複数の外周セル１１〜１６の各受光面積の変動を最小限に抑えて、中央セル１０および複数の外周セル１１〜１５で発電した電力を効率良く時計モジュール１に供給することができる。
【００４６】
（第２実施形態）
次に、図５を参照して、この発明を指針式の腕時計に適用した第２実施形態について説明する。なお、図１〜図４に示された第１実施形態と同一部分には同一符号を付して説明する。
この指針式の腕時計は、図５に示すように、ソーラーパネル２５に非受光領域である表示窓部２６を設けた構成であり、これ以外は第１実施形態と同じ構成になっている。
【００４７】
この場合、ソーラーパネル２５は、第１実施形態と同様、文字板４とほぼ同じ大きさの円形状に形成されている。このソーラーパネル２５は、その中心部に設けられた貫通孔２５ａを中心に円形状に形成された中央セル２７と、この中央セル２７の外周にそれぞれほぼ同じ大きさの受光面積で形成された複数の外周セル２８〜３２とを有している。
【００４８】
この場合にも、中央セル２７および複数の外周セル２８〜３２は、第１実施形態と同様、それぞれ受光量がほぼ同じになるように、各セル２７〜３２の形状および大きさが設定されている。すなわち、この中央セル２７においても、その領域内において指針７が重なる遮光面積分を考慮して、中央セル２７の受光面積が複数の外周セル２８〜３２の各受光面積よりも大きく形成されている。
【００４９】
つまり、この中央セル２７は、図５に示すように、その領域内において指針７が重なる最大遮光面積と最小遮光面積とのほぼ平均遮光面積分、中央セル２７の受光面積が複数の外周セル２８〜３２の各受光面積よりも大きく形成されている。
【００５０】
一方、非受光領域である表示窓部２６は、図５に示すように、その下側に表示パネル２３３が対応して配置され、表示パネル３３に表示された情報が文字板４を通して外部から見えるように構成されている。この場合、表示パネル３３は、液晶表示パネルやＥＬ（エレクトロルミネッセンス）表示パネルなどの平面型の表示パネルであり、時刻などの情報を電気光学的に表示するように構成されている。
【００５１】
表示窓部２６は、図５に示すように、長方形状の孔部であり、ソーラーパネル２５の６時側に位置する個所に設けられている。この場合、表示窓部２６は、中央セル２７および６時側の２つの外周セル２８、３２によって囲われた状態で、ソーラーパネル２５に設けられている。
【００５２】
すなわち、この表示窓部２６は、図５に示すように、その上辺部の一部が中央セル２７の下辺側に隣接し、６時側に位置する２つの外周セル２８、３２に食い込む状態で隣接するように設けられている。これにより、ソーラーパネル２５全体の受光面積は、ソーラーパネル２５全体の面積から表示窓部２６の面積を差し引いた面積になる。
【００５３】
このため、中央セル２７は、その下辺部が削られた形状に形成されている。また、６時側に位置する２つの外周セル２８、３２は、表示窓部２６の左右半部がそれぞれ食い込んで削られた形状に形成されている。このように、中央セル２７および複数の外周セル２８〜３２は、図５に示すように、それぞれ形状が異なっていても、それぞれ受光量がほぼ同じになるように形成されている。
【００５４】
すなわち、中央セル２７は、図５に示すように、その領域内において指針７が重なる最大遮光面積と最小遮光面積とのほぼ平均遮光面積分、中央セル２７の受光面積が複数の外周セル２８〜３２の各受光面積よりも大きく形成されている。また、複数の外周セル２８〜３２は、それぞれ形状が異なっていても、各受光面積が同じ大きさになるように形成されている。
【００５５】
また、このソーラーパネル２５においても、第１実施形態と同様、複数の接続部２０によって順次直列に接続されている。すなわち、これら複数の接続部２０は、それぞれ導電ペーストからなり、互いに隣接する各セル２７〜３２の各下部電極１６と、これに隣接する他方のセル２７〜３２の各上部電極１８とを、それぞれ電気的に接続するように構成されている。
【００５６】
この場合にも、中央セル２７および複数の外周セル２８〜３２のうち、最終端に位置する２つの外周セル２８、３２は、図５に示すように、接続部２０によって接続されていない。このため、一方の外周セル２８の上部電極１８は、第１実施形態と同様、その外周部に位置する出力端子２０ａに接続されており、他方の外周セル３２の下部電極１６は、その外周部に位置する出力端子２０ｂに接続されている。
【００５７】
これら一対の出力端子２０ａ、２０ｂは、第１実施形態と同様、時計モジュール１の一対の入力電極（図示せず）に接続されるように構成されている。これにより、ソーラーパネル２５は、発電した電力を時計モジュール１の充電池（図示せず）に供給するように構成されている。
【００５８】
次に、このような指針式の腕時計におけるソーラーパネル２５の作用について説明する。
時計ムーブメント５によって時針７ａ、分針７ｂ、秒針７ｃなどの指針７が文字板４の上方を運針して、時刻を指示する。また、このときには、表示パネル３３が駆動されて時刻などの情報を表示し、この表示された情報が表示窓部２６を通して文字板４の上方から見える。
【００５９】
このときには、太陽光などの外部光が文字板４に照射され、この照射された外部光が文字板４を透過してソーラーパネル２５の各セル２７〜３２にそれぞれ照射される。この照射された外部光は、第１実施形態と同様、各セル２７〜３２の各発電層１７に照射され、この照射された光によって各発電層１７がそれぞれ発電し、この発電された電力が各外周セル２８、３２の各出力端子２０ａ、２０ｂから時計モジュール１の充電池（図示せず）に送られて充電される。
【００６０】
このように、ソーラーパネル２５が発電する際には、図５に示すように、中央セル２７および複数の外周セル２８〜３２のうち、中央セル２７では、時針７ａ、分針７ｂ、秒針７ｃの３つの指針７が常に重なった状態で運針するが、この指針７の重なりを考慮して、中央セル２７の受光面積が複数の外周セル２８〜３２の各受光面積よりも大きく形成されているので、表示窓部２６が設けられていても、中央セル２７の受光面積が複数の外周セル２８〜３２の各受光面積とほぼ同じなる。
【００６１】
このときには、第１実施形態と同様、指針７の重なりによって生じる中央セル２７および複数の外周セル２８〜３２の各受光面積の変動が最小限に抑えられる。このため、表示窓部２６が設けられていても、中央セル２７および複数の外周セル２８〜３２のすべてのセル２７〜３２の各受光量がほぼ均等になる。これにより、表示窓部２６および指針７の運針位置に係わらず、ソーラーパネル２５全体で出力される出力電流が高い値で安定して得られ、ソーラーパネル２５全体で出力される電流値が最大限に高められる。
【００６２】
このように、この腕時計のソーラーパネル２５によれば、中央セル２７と複数の外周セル２８〜３２とのうち、中央セル２７および６時側に位置する２つの外周セル２８、３２によって囲われる非受光領域である表示窓部２６が設けられていることにより、この表示窓部２６の下側に表示パネル３３を設けることができ、これにより表示窓部２６を通して表示パネル３３に表示された情報を良好に見ることができる。
【００６３】
この場合にも、このソーラーパネル２５は、第１実施形態と同様、指針軸６に取り付けられた指針７が中央セル２７に重なる遮光面積分を考慮して、中央セル２７の受光面積が複数の外周セル２８〜３２の各受光面積よりも大きく形成されていることにより、非受光領域である表示窓部２６が設けられていても、指針７による各セル２７〜３２の受光面積の変動を最小限に抑えることができるので、各セル２７〜３２の受光量をほぼ均等にして、出力電流を最大限に向上させることができる。
【００６４】
すなわち、このソーラーパネル２５においても、中央セル２７および複数の外周セル２８〜３２の上方を指針７が運針する際に、中央セル２７に指針７が常に重なり、複数の外周セル２８〜３２のいずれかに指針７の一部が重なっても、指針７が重なることによって生じる中央セル２７および複数の外周セル２８〜３２の各受光面積の変動を最小限に抑えることができる。
【００６５】
このため、非受光領域である表示窓部２６が設けられていても、中央セル２７および複数の外周セル２８〜３２の各受光量をほぼ均等にすることができるので、指針７の運針位置に係わらず、すべてのセル２７〜３２全体の出力電流を高い値で安定させることができ、これによりすべてのセル２７〜３２全体の出力電流を最大限に向上させることができる。
【００６６】
この場合にも、中央セル２７は、これに指針７が重なる最大遮光面積と最小遮光面積とのほぼ平均遮光面積分、中央セル２７の受光面積が複数の外周セル２８〜３２の各受光面積よりも大きく形成されていることにより、中央セル２７に指針７が常に重なって中央セル２７が遮光されても、中央セル２７の受光量と複数の外周セル２８〜３２の各受光量とをほぼ同じ値にすることができる。
【００６７】
このため、複数の外周セル２８〜３２のいずれかに指針７の一部が重なっても、指針７の重なりによって生じる中央セル２７および複数の外周セル２８〜３２の各受光面積の変動を最小限に抑えることができるので、非受光領域である表示窓部２６および指針７の運針位置に係わらず、中央セル２７および複数の外周セル２８〜３２の各受光量をほぼ均等にすることができる。
【００６８】
（第３実施形態）
次に、図６および図７を参照して、この発明を指針式の腕時計に適用した第３実施形態について説明する。この場合にも、図１〜図４に示された第１実施形態と同一部分には同一符号を付して説明する。
この指針式の腕時計は、図６に示すように、腕時計ケース４０を備えている。この腕時計ケース４０内には、時計モジュール４１が設けられている。
【００６９】
この時計モジュール４１は、図６に示すように、指針７、第１機能針４２、第２機能針４３、第３機能針４４、日車４５を運針駆動するための時計ムーブメント５（図１参照）を備えているほか、ＧＰＳ受信用のアンテナ（図示せず）を備えている。この時計モジュール４１は、図６および図７に示すように、その上部にソーラーパネル４６および文字板４７が配置されるように構成されている。
【００７０】
この場合、第１機能針４２、第２機能針４３、第３機能針４４は、図６に示すように、文字板４７の上方を運針するように構成されており、日車４５は、リング形状に形成され、その上面に日付が印刷されている。この日車４５は、ソーラーパネル４６の下側に配置された状態で、２４時間で所定角度だけ回転し、日付が文字板４７の日付窓部４５ａに順次対応することにより、２４時間ごとに日付が切り替わるように構成されている。
【００７１】
文字板４７は、第１実施形態と同様、透明または半透明のフィルムかなり、図６に示すように、その外周に時字４８ａ、目盛４８ｂ、ワールドタイムの各都市名４８ｃが環状に沿って設けられるように構成されている。また、この文字板４７の１０時側には、第１機能針４２の第１目盛部４２ａが円形状に設けられており、この文字板４７の３時側には、第２機能針４３の第２目盛部４３ａが円形状に設けられている。
【００７２】
また、この文字板４７の７時側には、図６に示すように、第３機能針４４の機能表示部４４ａが円形状に設けられており、この文字板４７の４時側には、日車４５の日付が対応する日付窓部４５ａが設けられている。この場合、第１機能針４２の目盛部４２ａ、第２機能針４３の目盛部４３ａ、および第３機能針４４の機能表示部４４ａは、文字板４７に必要な個所のみが印刷されており、この印刷された個所が僅かに外部光を遮るが、これ以外は光を透過するように構成されている。
【００７３】
一方、ソーラーパネル４６は、図７に示すように、文字板４７とほぼ同じ大きさの円形状に形成されている。このソーラーパネル４６は、その中心部に設けられた貫通孔４６ａの周囲に沿って円形状に形成された中央セル５０と、この中央セル５０の外周にそれぞれほぼ同じ大きさの受光面積で形成された複数の外周セル５１〜５７と、ＧＰＳ受信用のアンテナ（図示せず）に対応して設けられた非受光領域部５８と、を有している。
【００７４】
この場合にも、中央セル５０および複数の外周セル５１〜５７は、第１実施形態と同様、それぞれ受光量がほぼ同じになるように、各セル５０〜５７の形状および大きさが設定されている。すなわち、この中央セル５０においても、その領域内において指針７が重なる遮光面積分を考慮して、中央セル５０の受光面積が複数の外周セル５１〜５７の各受光面積よりも大きく形成されている。
【００７５】
つまり、この中央セル５０は、図７に示すように、その領域内において指針７が重なる最大遮光面積と最小遮光面積とのほぼ平均遮光面積分、中央セル５０の受光面積が複数の外周セル５１〜５７の各受光面積よりも大きく形成されている。
【００７６】
一方、非受光領域部５８は、図７に示すように、その下側にＧＰＳ受信用のアンテナ（図示せず）が対応して配置され、このアンテナに電波を到達し易くするために、電極や半導体が取り除かれて、合成樹脂製のフィルム基板８（図４参照）のみで形成されている。この場合、非受光領域部５８は、各セル５０〜５７と同じ色に着色されている。
【００７７】
この非受光領域部５８は、図７に示すように、ソーラーパネル４６の４時から６時に亘る個所にほぼ四角形状に形成されている。この非受光領域部５８には、文字板４７の日付窓部４５ａに対応する日付孔５８ａが設けられている。これにより、日車４５の日付は、ソーラーパネル４６の日付孔５８ａを通して文字板４７の日付窓部４５ａから見えるように構成されている。
【００７８】
すなわち、この非受光領域部５８は、図７に示すように、その上辺部の一部が中央セル５０の下辺側に隣接し、４時側と６時側とに位置する２つの外周セル５１、５７の各側部に隣接するように設けられている。これにより、ソーラーパネル４６全体の受光面積は、ソーラーパネル４６全体の面積から非受光領域部５８の面積を差し引いた面積になる。
【００７９】
このため、中央セル５０は、その下辺部が削られた形状に形成されている。また、４時側と６時側とに位置する２つの外周セル５１、５７は、非受光領域部５８の両側部に沿って削られた形状に形成されている。このように、中央セル５０および複数の外周セル５１〜５７は、図７に示すように、それぞれ形状が異なっていても、各受光量がほぼ同じになるように形成されている。
【００８０】
すなわち、中央セル５０は、図７に示すように、その領域内において指針７が重なる最大遮光面積と最小遮光面積とのほぼ平均遮光面積分、中央セル５０の受光面積が複数の外周セル５１〜５７の各受光面積よりも大きく形成されている。また、複数の外周セル５１〜５７は、それぞれ形状が異なっていても、各受光面積がほぼ同じ大きさになるように形成されている。
【００８１】
この場合、複数の外周セル５１〜５７のうち、１０時側に位置する外周セル５３には、図７に示すように、第１機能針４２の回転中心に対応して貫通孔５３ａが設けられている。また、３時側に位置する外周セル５７には、第２機能針４３の回転中心に対応して貫通孔５７ａが設けられている。さらに、７時側に位置する外周セル５１には、第３機能針４４の回転中心に対応して貫通孔５１ａが設けられている。
【００８２】
これにより、中央セル５０および複数の外周セル５１〜５７は、図７に示すように、第１〜第３の各機能針４２〜４４によって影になる個所、および第１、第２の各目盛部４２ａ、４３ａ、機能表示部４４ａによって影になる個所を考慮して、それぞれ形状が異なっていても、各受光面積がほぼ同じ大きさになるように形成されている。
【００８３】
また、このソーラーパネル４６においても、第１実施形態と同様、複数の接続部２０によって順次直列に接続されている。すなわち、これら複数の接続部２０は、それぞれ導電ペーストからなり、互いに隣接する各セル５０〜５７の各下部電極１６と、これに隣接する他方のセル５０〜５７の各上部電極１８とを、それぞれ電気的に接続するように構成されている。
【００８４】
この場合にも、中央セル５０および複数の外周セル５１〜５７のうち、最終端に位置する２つの外周セル５２、５３は、図７に示すように、接続部２０によって接続されていない。このため、一方の外周セル５２の上部電極１８は、第１実施形態と同様、その外周部に位置する出力端子２０ａに接続されており、他方の外周セル５３の下部電極１６は、その外周部に位置する出力端子２０ｂに接続されている。
【００８５】
これら一対の出力端子２０ａ、２０ｂは、第１実施形態と同様、時計モジュール４１の一対の入力電極（図示せず）に接続されるように構成されている。これにより、ソーラーパネル４６は、発電した電力を時計モジュール４１の充電池（図示せず）に供給するように構成されている。
【００８６】
次に、このような指針式の腕時計におけるソーラーパネル４６の作用について説明する。
通常は、時計ムーブメント５によって時針７ａ、分針７ｂ、秒針７ｃなどの指針７が文字板４７の上方を運針して、時刻を指示する。このときには、第１機能針４２が第１目盛部４２ａ上を運針し、第２機能針４３が第２目盛部４３ａ上を運針し、第３機能針４４が機能表示部４４ａ上を運針する。
【００８７】
また、このときには、太陽光などの外部光が文字板４７に照射され、この照射された外部光が文字板４７を透過してソーラーパネル４６の各セル５０〜５７にそれぞれ照射される。この照射された外部光は、第１実施形態と同様、各セル５０〜５７の各発電層１７に照射され、この照射された光によって各発電層１７がそれぞれ発電し、この発電された電力が各外周セル５２、５３の各出力端子２０ａ、２０ｂから時計モジュール４１の充電池（図示せず）に送られて充電される。
【００８８】
このように、ソーラーパネル４６が発電する際には、図７に示すように、中央セル５０および複数の外周セル５１〜５７のうち、中央セル５０では、時針７ａ、分針７ｂ、秒針７ｃの３つの指針７が常に上方に位置した状態で運針し、外周セル５１〜５７では、第１〜第３の各機能針４２〜４４が各目盛部４２ａ、４３ａおよび機能表示部４４ａの上方に位置した状態で運針する。
【００８９】
このときには、指針７および第１〜第３の各機能針４２〜４４がソーラーパネル４６にその上方に位置して重なることを考慮して、中央セル５０および複数の外周セル５１〜５７の各受光面積がほぼ同じなるように、中央セル５０および複数の外周セル５１〜５７の各形状および大きさが設定されている。このため、非受光領域部５８が設けられていても、中央セル５０および複数の外周セル５１〜５７の各受光面積はほぼ同じなる。
【００９０】
これにより、第１実施形態と同様、指針７の重なりによって生じる中央セル５０および複数の外周セル５１〜５７の各受光面積の変動が最小限に抑えられる。このため、非受光領域部５８が設けられていても、中央セル５０および複数の外周セル５１〜５７のすべての各受光量がほぼ均等になる。これにより、非受光領域部５８および指針７の運針位置に係わらず、ソーラーパネル４６全体で出力される出力電流が高い値で安定して得られ、ソーラーパネル４６全体で出力される電流値が最大限に高められる。
【００９１】
このように、この第３実施形態における腕時計のソーラーパネル４６によれば、中央セル５０と複数の外周セル５１〜５７とのうち、中央セル５０および４時側と６時側とに位置する２つの外周セル５１、５７によって囲われる非受光領域部５８が設けられていることにより、この非受光領域部５８の下側にＧＰＳ用のアンテナ（図示せず）を設けることができ、これにより非受光領域部５８を通してアンテナで電波を良好に受信することができる。
【００９２】
この場合にも、このソーラーパネル４６は、第１実施形態と同様、指針軸６に取り付けられた指針７が中央セル５０に重なる遮光面積分を考慮して、中央セル５０の受光面積が複数の外周セル５１〜５７の各受光面積よりも大きく形成されていることにより、非受光領域部５８が設けられていても、指針７による各セル５０〜５７の受光面積の変動を最小限に抑えることができるので、各セル５０〜５７の受光量をほぼ均等にして、出力電流を最大限に向上させることができる。
【００９３】
すなわち、このソーラーパネル４６においても、中央セル５０および複数の外周セル５１〜５７の上方を指針７が運針する際に、中央セル５０に指針７が常に重なり、複数の外周セル５１〜５７のいずれかに指針７の一部が重なっても、指針７が重なることによって生じる中央セル５０および複数の外周セル５１〜５７の各受光面積の変動を最小限に抑えることができる。
【００９４】
このため、非受光領域部５８が設けられていても、中央セル５０および複数の外周セル５１〜５７の各受光量をほぼ均等にすることができるので、指針７の運針位置に係わらず、すべてのセル５０〜５７全体の出力電流を高い値で安定させることができ、これによりすべてのセル５０〜３７全体の出力電流を最大限に向上させることができる。
【００９５】
この場合にも、中央セル５０は、これに指針７が重なる最大遮光面積と最小遮光面積とのほぼ平均遮光面積分、中央セル５０の受光面積が複数の外周セル５１〜５７の各受光面積よりも大きく形成されていることにより、中央セル５０に指針７が常に重なって中央セル５０が遮光されても、中央セル５０の受光量と複数の外周セル５１〜５７の各受光量とをほぼ同じ値にすることができる。
【００９６】
このため、複数の外周セル５１〜５７のいずれかに指針７の一部が重なっても、指針７の重なりによって生じる中央セル５０および複数の外周セル５１〜５７の各受光面積の変動を最小限に抑えることができるので、非受光領域部５８および指針７の運針位置に係わらず、中央セル５０および複数の外周セル５１〜５７の各受光量をほぼ均等にすることができる。
【００９７】
また、このソーラーパネル４６では、その上方を第１〜第３の各機能針４２〜４４が運針すると共に、文字板４７に第１、第２の各目盛部４２ａ、４３ａおよび機能表示部４４ａが設けられていても、これらによって影になる面積を考慮して、中央セル５０および複数の外周セル５１〜５７の各受光面積がほぼ同じなるように、各セル５０〜５７の形状および大きさが設定されることにより、これら第１〜第３の各機能針４２〜４４、第１、第２の各目盛部４２ａ、４３ａおよび機能表示部４４ａによる影響を最小限に抑えて、中央セル５０および複数の外周セル５１〜５７の各受光量をほぼ均等にすることができる。
【００９８】
なお、上述した第３実施形態では、ソーラーパネル４６の非受光領域部５８をフィルム基板８のみで形成し、このフィルム基板８を各セル５０〜５７と同じ色で着色した構成である場合について述べたが、これに限らず、例えば図８に示す変形例のように、非受光領域部５８をその内周に沿って切り抜くことにより、非受光領域部５８を切欠き部５９で形成した構成であっても良い。
【００９９】
（第４実施形態）
次に、図９を参照して、この発明を指針式の腕時計に適用した第４実施形態について説明する。この場合には、図６および図７に示された第３実施形態と同一部分に同一符号を付して説明する。
この指針式の腕時計は、図９に示すように、ソーラーパネル４６の中央セル６０および外周セル６１〜６７が第３実施形態と異なる構成であり、これ以外は第３実施形態とほぼ同じ構成になっている。
【０１００】
すなわち、この中央セル６０は、図９に示すように、第１中央セル６８と第２中央セル６９とに分割されている。第１中央セル６８は、ソーラーパネル４６の中心部に設けられた貫通孔４６ａの周囲に沿って形成されている。第２中央セル６９は、第１中央セル６８の外周に沿って形成されている。この場合にも、第１中央セル６８、第２中央セル６９、および外周セル６１〜６７は、それぞれ受光量がほぼ同じになるように、各セル６８、６９、６１〜６７の形状および大きさが設定されている。
【０１０１】
この場合、第１中央セル６８および第２中央セル６９は、その各領域内において指針７が重なる遮光面積分を考慮して、第１、第２の中央セル６８、６９の各受光面積が複数の外周セル６１〜６７の各受光面積よりも大きく形成されている。つまり、この第１、第２の中央セル６８、６９は、図９に示すように、その各領域内において指針７が重なる最大遮光面積と最小遮光面積とのほぼ平均遮光面積分、第１、第２の中央セル６８、６９の各受光面積が複数の外周セル６１〜６７の各受光面積よりも大きく形成されている。
【０１０２】
ところで、非受光領域部５８は、図９に示すように、その下側にＧＰＳ受信用のアンテナ（図示せず）が対応して配置され、このアンテナに電波を到達し易くするために、電極や半導体が取り除かれて、合成樹脂製のフィルム基板８のみで形成されている。この場合にも、非受光領域部５８は、第３実施形態と同様、各セル６０〜６７と同じ色に着色されている。
【０１０３】
また、この非受光領域部５８は、第３実施形態と同様、ソーラーパネル４６の４時から６時に亘る個所にほぼ四角形状に形成されている。この非受光領域部５８にも、図９に示すように、文字板４７の日付窓部４５ａに対応する日付孔５８ａが設けられている。
【０１０４】
すなわち、この非受光領域部５８は、その上辺部の一部が第２中央セル６９を切欠いて第１中央セル６８の下辺側に隣接し、４時側と６時側とに位置する２つの外周セル６１、６７の各側部に隣接するように設けられている。これにより、ソーラーパネル４６全体の受光面積は、第３実施形態と同様、ソーラーパネル４６全体の面積から非受光領域部５８の面積を差し引いた面積になる。
【０１０５】
このため、第１中央セル６８は、図９に示すように、その下辺部が削られた形状に形成されている。また、第２中央セル６９は、３時と７時との間が切り取られた形状に形成されている。さらに、４時側と６時側とに位置する２つの外周セル６１、６７は、非受光領域部５８の両側部に沿って削られた形状に形成されている。このように、第１中央セル６８、第２中央セル６９、および複数の外周セル６１〜６７は、それぞれ形状が異なっていても、各受光量がほぼ同じになるように形成されている。
【０１０６】
すなわち、第１中央セル６８および第２中央セル６９は、図９に示すように、その領域内において指針７が重なる最大遮光面積と最小遮光面積とのほぼ平均遮光面積分、第１、第２の中央セル６８、６９の各受光面積が複数の外周セル６１〜６７の各受光面積よりも大きく形成されている。また、複数の外周セル６１〜６７は、それぞれ形状が異なっていても、各受光面積がほぼ同じ大きさになるように形成されている。
【０１０７】
この場合、第２中央セル６９の１０時側に位置する個所には、図９に示すように、第１機能針４２の回転中心に対応して貫通孔６９ａが設けられており、第２中央セル６９の３時側に位置する個所には、第２機能針４３の回転中心に対応して貫通孔６９ｂが設けられている。また、第２中央セル６９の７時側に位置する個所には、第３機能針４４の回転中心に対応して貫通孔６９ｃが設けられている。
【０１０８】
これにより、中央セル６０の第１、第２の中央セル６８、６９および複数の外周セル６１〜６７は、図９に示すように、第１〜第３の各機能針４２〜４４によって影になる個所、および第１、第２の各目盛部４２ａ、４３ａ、機能表示部４４ａによって影になる個所を考慮して、それぞれ形状が異なっていても、各受光面積がほぼ同じ大きさになるように形成されている。
【０１０９】
また、このソーラーパネル４６においても、第１実施形態と同様、複数の接続部２０によって順次直列に接続されている。すなわち、これら複数の接続部２０は、それぞれ導電ペーストからなり、互いに隣接する各セル６１〜６９の各下部電極１６と、これに隣接する他方のセル６１〜６９の各上部電極１８とを、それぞれ電気的に接続するように構成されている。
【０１１０】
この場合にも、第１、第２の中央セル６８、６９および複数の外周セル６１〜６７のうち、最終端に位置する２つの外周セル６２、６３は、図９に示すように、接続部２０によって接続されていない。このため、一方の外周セル６２の上部電極１８は、第１実施形態と同様、その外周部に位置する出力端子２０ａに接続されており、他方の外周セル６３の下部電極１６は、その外周部に位置する出力端子２０ｂに接続されている。
【０１１１】
これら一対の出力端子２０ａ、２０ｂは、第１実施形態と同様、時計モジュール４１の一対の入力電極（図示せず）に接続されるように構成されている。これにより、ソーラーパネル４６は、発電した電力を時計モジュール４１の充電池（図示せず）に供給するように構成されている。
【０１１２】
次に、このような指針式の腕時計におけるソーラーパネル４６の作用について説明する。
通常は、時計ムーブメント５によって時針７ａ、分針７ｂ、秒針７ｃなどの指針７が文字板４７の上方を運針して、時刻を指示する。このときには、第１機能針４２が第１目盛部４２ａ上を運針し、第２機能針４３が第２目盛部４３ａ上を運針し、第３機能針４４が機能表示部４４ａ上を運針する。
【０１１３】
また、このときには、太陽光などの外部光が文字板４７に照射され、この照射された外部光が文字板４７を透過してソーラーパネル４６の各セル６１〜６９にそれぞれ照射される。この照射された外部光は、第１実施形態と同様、各セル６１〜６９の各発電層１７に照射され、この照射された光によって各発電層１７がそれぞれ発電し、この発電された電力が各外周セル６２、６３の各出力端子２０ａ、２０ｂから時計モジュール４１の充電池（図示せず）に送られて充電される。
【０１１４】
このように、ソーラーパネル４６が発電する際には、図９に示すように、中央セル６０の第１、第２の中央セル６８、６９および複数の外周セル６１〜６７のうち、第１、第２の中央セル６８、６９では、時針７ａ、分針７ｂ、秒針７ｃの３つの指針７が常に上方に位置した状態で運針し、外周セル６１〜６７では、第１〜第３の各機能針４２〜４４が各目盛部４２ａ、４３ａおよび機能表示部４４ａの上方に位置した状態で運針する。
【０１１５】
このときには、指針７および第１〜第３の各機能針４２〜４４がソーラーパネル４６にその上方に位置して重なることを考慮して、中央セル６０の第１、第２の中央セル６８、６９および複数の外周セル６１〜６７の各受光面積がほぼ同じなるように、第１、第２の中央セル６８、６９および複数の外周セル６１〜６７の各形状および大きさが設定されている。このため、非受光領域部５８が設けられていても、第１、第２の中央セル６８、６９および複数の外周セル６１〜６７の各受光面積はほぼ同じなる。
【０１１６】
これにより、第１実施形態と同様、指針７の重なりによって生じる第１、第２の中央セル６８、６９および複数の外周セル６１〜６７の各受光面積の変動が最小限に抑えられる。このため、非受光領域部５８が設けられていても、第１、第２の中央セル６８、６９および複数の外周セル６１〜６７のすべての各受光量がほぼ均等になる。これにより、非受光領域部５８および指針７の運針位置に係わらず、ソーラーパネル４６全体で出力される出力電流が高い値で安定して得られ、ソーラーパネル４６全体で出力される電流値が最大限に高められる。
【０１１７】
このように、この第４実施形態における腕時計のソーラーパネル４６によれば、中央セル６０が貫通孔４６ａの周囲に沿って形成された第１中央セル６８と、この第１中央セル６８の外周に沿って形成された第２中央セル６９とに分割され、これら第１中央セル６８、第２中央セル６９、および複数の外周セル６１〜６７のうち、中央セル６０および４時側と６時側とに位置する２つの外周セル６１、６７によって囲われる非受光領域部５８が設けられていることにより、第３実施形態と同様、非受光領域部５８の下側にＧＰＳ用のアンテナ（図示せず）を設けることができ、これにより非受光領域部５８を通してアンテナで電波を良好に受信することができる。
【０１１８】
この場合にも、このソーラーパネル４６は、指針軸６に取り付けられた指針７が第１中央セル６８および第２中央セル６９に重なる遮光面積分を考慮して、第１、第２の中央セル６８、６９の各受光面積が複数の外周セル６１〜６７の各受光面積よりも大きく形成されていることにより、非受光領域部５８が設けられていても、指針７による各セル６１〜６９の各受光面積の変動を最小限に抑えることができるので、各セル６１〜６９の各受光量をほぼ均等にして、出力電流を最大限に向上させることができる。
【０１１９】
すなわち、このソーラーパネル４６においても、第１、第２の中央セル６８、６９および複数の外周セル６１〜６７の上方を指針７が運針する際に、第１、第２の中央セル６８、６９に指針７が常に重なり、複数の外周セル６１〜６７のいずれかに指針７の一部が重なっても、指針７が重なることによって生じる第１、第２の中央セル６８、６９および複数の外周セル６１〜６７の各受光面積の変動を最小限に抑えることができる。
【０１２０】
このため、非受光領域部５８が設けられていても、第１、第２の中央セル６８、６９および複数の外周セル６１〜６７の各受光量をほぼ均等にすることができるので、指針７の運針位置に係わらず、すべてのセル６１〜６９全体の出力電流を高い値で安定させることができ、これによりすべてのセル６１〜６９全体の出力電流を最大限に向上させることができる。
【０１２１】
この場合にも、中央セル６０の第１、第２の中央セル６８、６９は、これに指針７が重なる最大遮光面積と最小遮光面積とのほぼ平均遮光面積分、第１、第２の中央セル６８、６９の各受光面積が複数の外周セル６１〜６７の各受光面積よりも大きく形成されていることにより、第１、第２の中央セル６８、６９に指針７が常に重なって第１、第２の中央セル６８、６９が遮光されても、第１、第２の中央セル６８、６９の各受光量と複数の外周セル６１〜６７の各受光量とをほぼ同じ値にすることができる。
【０１２２】
このため、複数の外周セル６１〜６７のいずれかに指針７の一部が重なっても、指針７の重なりによって生じる第１、第２の中央セル６８、６９および複数の外周セル６１〜６７の各受光面積の変動を最小限に抑えることができるので、非受光領域部５８および指針７の運針位置に係わらず、第１、第２の中央セル６８、６９および複数の外周セル６１〜６７の各受光量をほぼ均等にすることができる。
【０１２３】
また、このソーラーパネル４６においても、その上方を第１〜第３の各機能針４２〜４４が運針すると共に、文字板４７に第１、第２の各目盛部４２ａ、４３ａおよび機能表示部４４ａが設けられていても、これらによって影になる面積を考慮して、第１、第２の中央セル６８、６９および複数の外周セル６１〜６７の各受光面積がほぼ同じなるように、各セル６１〜６９の形状および大きさが設定されることにより、これら第１〜第３の各機能針４２〜４４、第１、第２の各目盛部４２ａ、４３ａおよび機能表示部４４ａによる影響を最小限に抑えて、第１、第２の中央セル６８、６９および複数の外周セル６１〜６７の各受光量をほぼ均等にすることができる。
【０１２４】
（第５実施形態）
次に、図１０を参照して、この発明を指針式の腕時計に適用した第５実施形態について説明する。この場合にも、図６および図７に示された第３実施形態と同一部分に同一符号を付して説明する。
この指針式の腕時計は、図１０に示すように、ソーラーパネル４６の中央セル７０および外周セル７１〜７７が第３実施形態と異なる構成であり、これ以外は第３実施形態とほぼ同じ構成になっている。
【０１２５】
すなわち、この中央セル７０は、図１０に示すように、第１中央セル７８と第２中央セル７９とに分割されている。第１中央セル７８は、ソーラーパネル４６の中心部である貫通孔４６ａを境にして、２時側に半円形状に設けられている。第２中央セル７９は、ソーラーパネル４６の中心部である貫通孔４６ａを境にして、８時側に半円形状に設けられている。この場合にも、第１中央セル７８、第２中央セル７９、および外周セル７１〜７７は、それぞれ受光量がほぼ同じになるように、各セル７８、７９、７１〜７７の形状および大きさが設定されている。
【０１２６】
この場合、第１中央セル７８および第２中央セル７９は、その各領域内において指針７が重なる遮光面積分を考慮して、第１、第２の中央セル７８、７９の各受光面積が複数の外周セル７１〜７７の各受光面積よりも大きく形成されている。つまり、この第１、第２の中央セル７８、７９は、図１０に示すように、その各領域内において指針７が重なる最大遮光面積と最小遮光面積とのほぼ平均遮光面積分、第１、第２の中央セル７８、７９の各受光面積が複数の外周セル７１〜７７の各受光面積よりも大きく形成されている。
【０１２７】
この場合、指針７のうち、例えば分針７ｂは、図１０に示すように、指針軸６を中心に回転する際に、その先端部が中央セル７０の外周円から外周セル７１〜７７のいずれの領域内に延出した状態で位置し、この先端部と反対側に位置する後端部が中央セル７０の外周円に接近する位置に延出されている。これにより、分針７ｂは、中央セル７０における第１、第２の中央セル７８、７９の両方の領域に跨った状態で運針するように構成されている。これとほぼ同様に、時針７ａ、秒針７ｃも構成されている。
【０１２８】
ところで、非受光領域部５８は、図１０に示すように、その下側にＧＰＳ受信用のアンテナ（図示せず）が対応して配置され、このアンテナに電波を到達し易くするために、電極や半導体が取り除かれて、合成樹脂製のフィルム基板８のみで形成されている。この場合にも、非受光領域部５８は、第３実施形態と同様、各セル７０〜６７と同じ色に着色されている。
【０１２９】
また、この非受光領域部５８は、第３実施形態と同様、ソーラーパネル４６の４時から６時に亘る個所にほぼ四角形状に形成されている。この非受光領域部５８にも、図１０に示すように、文字板４７の日付窓部４５ａに対応する日付孔５８ａが設けられている。
【０１３０】
すなわち、この非受光領域部５８は、その上辺部の一部が第１、第２の中央セル７８、７９を切欠いて第１、第２の中央セル７８、７９の各５時側に位置する辺部側に隣接し、４時側と６時側とに位置する２つの外周セル７１、７７の各側部に隣接するように設けられている。これにより、ソーラーパネル４６全体の受光面積は、第３実施形態と同様、ソーラーパネル４６全体の面積から非受光領域部５８の面積を差し引いた面積になる。
【０１３１】
このため、第１、第２の中央セル７８、７９は、図１０に示すように、その各５時側に位置する辺部が削られた形状に形成されている。また、４時側と６時側とに位置する２つの外周セル７１、７７は、非受光領域部５８の両側部に沿って削られた形状に形成されている。このように、第１中央セル７８、第２中央セル７９、および複数の外周セル７１〜７７は、それぞれ形状が異なっていても、各受光量がほぼ同じになるように形成されている。
【０１３２】
すなわち、第１中央セル７８および第２中央セル７９は、図１０に示すように、その領域内において指針７が重なる最大遮光面積と最小遮光面積とのほぼ平均遮光面積分、第１、第２の中央セル７８、７９の各受光面積が複数の外周セル７１〜７７の各受光面積よりも大きく形成されている。また、複数の外周セル７１〜７７は、それぞれ形状が異なっていても、各受光面積が同じ大きさになるように形成されている。
【０１３３】
この場合、第１中央セル７８の３時側に位置する個所には、図１０に示すように、第２機能針４３の回転中心に対応して貫通孔７８ａが設けられている。また、第２中央セル７９の１０時側に位置する個所には、第１機能針４２の回転中心に対応して貫通孔７９ａが設けられており、この第２中央セル７９の７時側に位置する個所には、第３機能針４４の回転中心に対応して貫通孔７９ｂが設けられている。
【０１３４】
これにより、中央セル７０の第１、第２の中央セル７８、７９および複数の外周セル７１〜７７は、図１０に示すように、第１〜第３の各機能針４２〜４４によって影になる個所、および第１、第２の各目盛部４２ａ、４３ａ、機能表示部４４ａによって影になる個所を考慮して、それぞれ形状が異なっていても、各受光面積が同じ大きさになるように形成されている。
【０１３５】
また、このソーラーパネル４６においても、第１実施形態と同様、複数の接続部２０によって順次直列に接続されている。すなわち、これら複数の接続部２０は、それぞれ導電ペーストからなり、互いに隣接する各セル７１〜７９の各下部電極１６と、これに隣接する他方のセル７１〜７９の各上部電極１８とを、それぞれ電気的に接続するように構成されている。
【０１３６】
この場合にも、第１、第２の中央セル７８、７９および複数の外周セル７１〜７７のうち、最終端に位置する２つの外周セル７２、７３は、図１０に示すように、接続部２０によって接続されていない。このため、一方の外周セル７２の上部電極１８は、第１実施形態と同様、その外周部に位置する出力端子２０ａに接続されており、他方の外周セル７３の下部電極１６は、その外周部に位置する出力端子２０ｂに接続されている。
【０１３７】
これら一対の出力端子２０ａ、２０ｂは、第１実施形態と同様、時計モジュール４１の一対の入力電極（図示せず）に接続されるように構成されている。これにより、ソーラーパネル４６は、発電した電力を時計モジュール４１の充電池（図示せず）に供給するように構成されている。
【０１３８】
次に、このような指針式の腕時計におけるソーラーパネル４６の作用について説明する。
通常は、時計ムーブメント５によって時針７ａ、分針７ｂ、秒針７ｃなどの指針７が文字板４７の上方を運針して、時刻を指示する。このときには、第１機能針４２が第１目盛部４２ａ上を運針し、第２機能針４３が第２目盛部４３ａ上を運針し、第３機能針４４が機能表示部４４ａ上を運針する。
【０１３９】
また、このときには、太陽光などの外部光が文字板４７に照射され、この照射された外部光が文字板４７を透過してソーラーパネル４６の各セル７１〜７９にそれぞれ照射される。この照射された外部光は、第１実施形態と同様、各セル７１〜７９の各発電層１７に照射され、この照射された光によって各発電層１７がそれぞれ発電し、この発電された電力が各外周セル７２、７３の各出力端子２０ａ、２０ｂから時計モジュール４１の充電池（図示せず）に送られて充電される。
【０１４０】
このように、ソーラーパネル４６が発電する際には、図９に示すように、中央セル７０の第１、第２の中央セル７８、７９および複数の外周セル７１〜７７のうち、第１、第２の中央セル７８、７９では、時針７ａ、分針７ｂ、秒針７ｃの３つの指針７が常に上方に位置した状態で運針し、外周セル７１〜７７では、第１〜第３の各機能針４２〜４４が各目盛部４２ａ、４３ａおよび機能表示部４４ａの上方に位置した状態で運針する。
【０１４１】
このときには、指針７および第１〜第３の各機能針４２〜４４がソーラーパネル４６にその上方に位置して重なることを考慮して、中央セル７０の第１、第２の中央セル７８、７９および複数の外周セル７１〜７７の各受光面積がほぼ同じなるように、第１、第２の中央セル７８、７９および複数の外周セル７１〜７７の各形状および大きさが設定されている。このため、非受光領域部５８が設けられていても、第１、第２の中央セル７８、７９および複数の外周セル７１〜７７の各受光面積はほぼ同じなる。
【０１４２】
これにより、第１実施形態と同様、指針７の重なりによって生じる第１、第２の中央セル７８、７９および複数の外周セル７１〜７７の各受光面積の変動が最小限に抑えられる。このため、非受光領域部５８が設けられていても、第１、第２の中央セル７８、７９および複数の外周セル７１〜７７のすべての各受光量がほぼ均等になる。これにより、非受光領域部５８および指針７の運針位置に係わらず、ソーラーパネル４６全体で出力される出力電流が高い値で安定して得られ、ソーラーパネル４６全体で出力される電流値が最大限に高められる。
【０１４３】
このように、この第５実施形態における腕時計のソーラーパネル４６によれば、中央セル７０が貫通孔４６ａを境に第１中央セル７８と第２中央セル７９との２つに分割され、これら第１中央セル７８、第２中央セル７９、および複数の外周セル７１〜７７のうち、中央セル７０および４時側と６時側とに位置する２つの外周セル７１、７７によって囲われる非受光領域部５８が設けられていることにより、第３実施形態と同様、非受光領域部５８の下側にＧＰＳ用のアンテナ（図示せず）を設けることができ、これにより非受光領域部５８を通してアンテナで電波を良好に受信することができる。
【０１４４】
この場合にも、このソーラーパネル４６は、指針軸６に取り付けられた指針７が第１中央セル７８および第２中央セル７９に重なる遮光面積分を考慮して、第１、第２の中央セル７８、７９の各受光面積が複数の外周セル７１〜７７の各受光面積よりも大きく形成されていることにより、非受光領域部５８が設けられていても、指針７による各セル７１〜７９の各受光面積の変動を最小限に抑えることができるので、各セル７１〜７９の各受光量をほぼ均等にして、出力電流を最大限に向上させることができる。
【０１４５】
すなわち、このソーラーパネル４６においても、第１、第２の中央セル７８、７９および複数の外周セル７１〜７７の上方を指針７が運針する際に、指針７の先端部と後端部とが第１、第２の中央セル７８、７９に常に重なり、複数の外周セル７１〜７７のいずれかに指針７の先端部が重なっても、指針７が重なることによって生じる第１、第２の中央セル７８、７９および複数の外周セル７１〜７７の各受光面積の変動を最小限に抑えることができる。
【０１４６】
このため、非受光領域部５８が設けられていても、第１、第２の中央セル７８、７９および複数の外周セル７１〜７７の各受光量をほぼ均等にすることができるので、指針７の運針位置に係わらず、すべてのセル７１〜７９全体の出力電流を高い値で安定させることができ、これによりすべてのセル７１〜７９全体の出力電流を最大限に向上させることができる。
【０１４７】
この場合にも、中央セル７０の第１、第２の中央セル７８、７９は、これに指針７が重なる最大遮光面積と最小遮光面積とのほぼ平均遮光面積分、第１、第２の中央セル７８、７９の各受光面積が複数の外周セル７１〜７７の各受光面積よりも大きく形成されていることにより、第１、第２の中央セル７８、７９に指針７が常に重なって第１、第２の中央セル７８、７９が遮光されても、第１、第２の中央セル７８、７９の各受光量と複数の外周セル７１〜７７の各受光量とをほぼ同じ値にすることができる。
【０１４８】
このため、複数の外周セル７１〜７７のいずれかに指針７の先端部が重なっても、指針７の重なりによって生じる第１、第２の中央セル７８、７９および複数の外周セル７１〜７７の各受光面積の変動を最小限に抑えることができるので、非受光領域部５８および指針７の運針位置に係わらず、第１、第２の中央セル７８、７９および複数の外周セル７１〜７７の各受光量をほぼ均等にすることができる。
【０１４９】
また、このソーラーパネル４６においても、その上方を第１〜第３の各機能針４２〜４４が運針すると共に、文字板４７に第１、第２の各目盛部４２ａ、４３ａおよび機能表示部４４ａが設けられていても、これらによって影になる面積を考慮して、第１、第２の中央セル７８、７９および複数の外周セル７１〜７７の各受光面積がほぼ同じなるように、各セル７１〜７９の形状および大きさが設定されることにより、これら第１〜第３の各機能針４２〜４４、第１、第２の各目盛部４２ａ、４３ａおよび機能表示部４４ａによる影響を最小限に抑えて、第１、第２の中央セル７８、７９および複数の外周セル７１〜７７の各受光量をほぼ均等にすることができる。
【０１５０】
なお、上述した第５実施形態では、中央セル７０の中心である貫通孔４６ａを境にして、中央セル７０を第１中央セル７８と第２中央セル７９との２つに分割した場合について述べたが、これに限らず、中央節７０の分割数は、外周セルの数よりも少ない数であれば、３つ以上に分割しても良い。
【０１５１】
また、上述した第４、第５の各実施形態では、ソーラーパネル４６の非受光領域部５８をフィルム基板８のみで形成し、このフィルム基板８を各セル６０〜６７、７０〜７７と同じ色で着色した構成である場合について述べたが、これに限らず、例えば図８に示した第３実施形態の変形例のように、非受光領域部５８をその内周に沿って切り抜くことにより、非受光領域部５８を切欠き部５９で形成した構成であっても良い。
【０１５２】
（第６実施形態）
次に、図１１（ａ）および図１１（ｂ）を参照して、この発明を指針式の腕時計に適用した第６実施形態について説明する。この場合にも、図６および図７に示された第３実施形態と同一部分に同一符号を付して説明する。
この指針式の腕時計は、図１１（ａ）および図１１（ｂ）に示すように、ソーラーパネル８０の中央セル８１および複数の外周セル８２〜８７が第３実施形態と異なる構成であり、これ以外は第３実施形態とほぼ同じ構成になっている。
【０１５３】
この場合、時計モジュール４１は、図１１（ａ）に示すように、指針７、第１機能針４２、第２機能針４３、第３機能針４４を運針駆動するための時計ムーブメント５（図１参照）を備えているほか、ＧＰＳ受信用のアンテナ（図示せず）を備えている。この時計モジュール４１は、第３実施形態と同様、その上部にソーラーパネル８０を介して文字板４７が配置されるように構成されている。
【０１５４】
第１機能針４２、第２機能針４３、第３機能針４４は、第３実施形態と同様、文字板４７の上方を運針するように構成されている。文字板４７は、透明または半透明のフィルムかなり、その外周に時字４８ａが環状に沿って設けられるように構成されている。また、この文字板４７の１０時側には、第１機能針４２の第１目盛部４２ａが円形状に設けられており、この文字板４７の３時側には、第２機能針４３の第２目盛部４３ａが円形状に設けられている。
【０１５５】
また、この文字板４７の７時側には、図１１（ａ）に示すように、第３機能針４４の第３目盛部４４ａが設けられている。この場合、第１機能針４２の第１目盛部４２ａ、第２機能針４３の第２目盛部４３ａ、および第３機能針４４の第３目盛部４４ａは、文字板４７に必要な個所のみが印刷されており、この印刷された個所が僅かに外部光を遮るが、これ以外は光を透過するように構成されている。
【０１５６】
一方、ソーラーパネル８０は、図１１（ｂ）に示すように、文字板４７とほぼ同じ大きさのほぼ円形状に形成されている。このソーラーパネル８０は、その中心部に設けられた貫通孔８０ａの周囲に沿って円形状に形成された中央セル８１と、この中央セル８１の外周にそれぞれほぼ同じ大きさの受光面積で形成された複数の外周セル８２〜８７と、ＧＰＳ受信用のアンテナ（図示せず）に対応して設けられた非受光領域部８８と、を有している。
【０１５７】
この場合、中央セル８１は、図１１（ｂ）に示すように、第１中央セル９０と第２中央セル９１とに分割されている。第１中央セル９０は、ソーラーパネル８０の中心部に設けられた貫通孔８０ａの周囲に沿って形成されている。第２中央セル９１は、第１中央セル９０の外周に沿って形成されている。
【０１５８】
また、複数の外周セル８２〜８７は、図１１（ｂ）に示すように、中央セル８１の外周に位置する内周側セルである第１、第２の外周セル８２、８３と、これら内周側セルである第１、第２の外周セル８２、８３の外周に位置する外周側セルである第３〜第６の外周セル８４〜８７とを有している。
【０１５９】
この場合にも、第１中央セル９０、第２中央セル９１、および第１〜第６の外周セル８２〜８７は、図１１（ｂ）に示すように、それぞれ受光量がほぼ同じになるように、各セル９０、９１、８２〜８７の形状および大きさが設定されている。この場合、第１中央セル９０および第２中央セル９１は、その各領域内において指針７が重なる遮光面積分を考慮して、第１、第２の中央セル９０、９１の各受光面積が第１〜第６の外周セル８２〜８７の各受光面積よりも大きく形成されている。
【０１６０】
すなわち、第１、第２の中央セル９０、９１は、図１１（ｂ）に示すように、その各領域内において指針７が重なる最大遮光面積と最小遮光面積とのほぼ平均遮光面積分、第１、第２の中央セル９０、９１の各受光面積が第１〜第６の外周セル８２〜８７の各受光面積よりも大きく形成されている。
【０１６１】
また、第１〜第６の各外周セル８２〜８７は、図１１（ｂ）に示すように、その各領域に指針７のうち、時針７ａがほとんど重ならず、分針７ｂと秒針７ｃとの各先端部が選択的に重なるため、それぞれ形状が異なっていても、各受光面積がほぼ同じ大きさになるように形成されている。
【０１６２】
ところで、非受光領域部８８は、図１１（ｂ）に示すように、その下側にＧＰＳ受信用のアンテナ（図示せず）が対応して配置され、このアンテナに電波を到達し易くするために、切欠き部に形成されている。この場合にも、非受光領域部５８は、第３実施形態と同様、ソーラーパネル８０の４時から６時に亘る個所にほぼ四角形状に形成されている。
【０１６３】
すなわち、この非受光領域部８８は、図１１（ｂ）に示すように、その上辺部の一部が第２中央セル９１を切欠いて第１中央セル９０の下辺側に隣接し、４時側と６時側とに位置する第１〜第３、第６の各外周セル８２〜８４、８７の各側部に隣接するように設けられている。これにより、ソーラーパネル８０全体の受光面積は、第３実施形態と同様、ソーラーパネル８０全体の面積から非受光領域部８８の面積を差し引いた面積になる。
【０１６４】
このため、第１中央セル９０は、図１１（ｂ）に示すように、その下辺部が削られた形状に形成されている。また、第２中央セル９１は、３時と７時との間が切り取られた形状に形成されている。さらに、４時側と６時側とに位置する第１〜第３、第６の外周セル８２〜８４、８７は、非受光領域部８８の両側部に沿って削られた形状に形成されている。このように、第１中央セル９０、第２中央セル９１、および第１〜第６の外周セル８２〜８７は、それぞれ形状が異なっていても、各受光量がほぼ同じになるように形成されている。
【０１６５】
この場合、第２中央セル９１の１０時側に位置する個所には、図１１（ｂ）に示すように、第１機能針４２の回転中心に対応して貫通孔９１ａが設けられており、第２中央セル９１の３時側に位置する個所には、第２機能針４３の回転中心に対応して貫通孔９１ｂが設けられている。また、第２中央セル９１の７時側に位置する個所には、第３機能針４４の回転中心に対応して貫通孔９１ｃが設けられている。
【０１６６】
これにより、中央セル８１の第１、第２の中央セル９０、９１および第１〜第６の外周セル８２〜８７は、図１１（ｂ）に示すように、第１〜第３の各機能針４２〜４４によって影になる個所、および第１〜第３の各目盛部４２ａ〜４４ａによって影になる個所を考慮して、それぞれ形状が異なっていても、各受光面積がほぼ同じ大きさになるように形成されている。
【０１６７】
また、このソーラーパネル８０においても、第１実施形態と同様、複数の接続部２０によって順次直列に接続されている。すなわち、これら複数の接続部２０は、それぞれ導電ペーストからなり、互いに隣接する各セル８２〜８７、９０、９１の各下部電極１６と、これに隣接する他方のセル８２〜８７、９０、９１の各上部電極１８とを、それぞれ電気的に接続するように構成されている。
【０１６８】
この場合、複数の接続部２０のうち、外周側の第３〜第６の外周セル８４〜８７を接続する接続部２０、および外周側の第３外周セル８４と内周側の第２外周セル８３とを接続する接続部２０は、図１１（ｂ）に示すように、文字板４７の時字４８ａに対応する領域に設けられている。また、内周側の第２外周セル８３と第２中央セル９１とを接続する接続部２０は、第１機能針４２の貫通孔９１ａの近傍に位置する領域内に設けられている。
【０１６９】
また、第１中央セル９０と第２中央セル９１とを接続する接続部２０、および第１中央セル９０と内周側の第１外周セル８３とを接続する接続部２０は、図１１（ｂ）に示すように、第２機能針４３の貫通孔９１ｂの近傍に位置する領域内に設けられている。さらに、内周側の第１外周セル８３と外周側の第６外周セル８７とを接続する接続部２０は、第２機能針４３の第２目盛部４３ａに対応する領域内に設けられている。
【０１７０】
この場合にも、第１、第２の中央セル９０、９１および第１〜第６の外周セル８２〜８７のうち、最終端に位置する外周側の第３、第４の外周セル８４、８５は、図１１（ｂ）に示すように、接続部２０によって接続されていない。このため、第３外周セル８４の上部電極１８は、第１実施形態と同様、その外周部に位置する出力端子２０ａに接続されており、第４外周セル８５の下部電極１６は、その外周部に位置する出力端子２０ｂに接続されている。
【０１７１】
これら一対の出力端子２０ａ、２０ｂは、第１実施形態と同様、時計モジュール４１の一対の入力電極（図示せず）に接続されるように構成されている。これにより、ソーラーパネル８０は、発電した電力を時計モジュール４１の充電池（図示せず）に供給するように構成されている。
【０１７２】
次に、このような指針式の腕時計におけるソーラーパネル８０の作用について説明する。
通常は、時計ムーブメント５によって時針７ａ、分針７ｂ、秒針７ｃなどの指針７が文字板４７の上方を運針して、時刻を指示する。このときには、第１機能針４２が第１目盛部４２ａ上を運針し、第２機能針４３が第２目盛部４３ａ上を運針し、第３機能針４４が第３目盛部４４ａ上を運針する。
【０１７３】
また、このときには、太陽光などの外部光が文字板４７に照射され、この照射された外部光が文字板４７を透過してソーラーパネル４６の各セル６１〜６９にそれぞれ照射される。この照射された外部光は、第１実施形態と同様、各セル８１〜８７の各発電層１７に照射され、この照射された光によって各発電層１７がそれぞれ発電し、この発電された電力が第３、第４の各外周セル８４、８５の各出力端子２０ａ、２０ｂから時計モジュール４１の充電池（図示せず）に送られて充電される。
【０１７４】
このように、ソーラーパネル８０が発電する際には、図１１（ｂ）に示すように、中央セル８１の第１、第２の中央セル９０、９１および第１〜第６の外周セル８２〜８７のうち、第１、第２の中央セル９０、９１では、時針７ａ、分針７ｂ、秒針７ｃの３つの指針７が常に上方に位置した状態で運針し、第１〜第６の外周セル８２〜８７では、第１〜第３の各機能針４２〜４４が第１〜第３の各目盛部４２ａ〜４４ａの上方に位置した状態で運針する。
【０１７５】
このときには、指針７および第１〜第３の各機能針４２〜４４がソーラーパネル８０にその上方に位置して重なることを考慮して、中央セル８１の第１、第２の中央セル９０、９１および第１〜第６の外周セル８２〜８７の各受光面積がほぼ同じなるように、第１、第２の中央セル９０、９１および第１〜第６の外周セル８２〜８７の各形状および大きさが設定されている。このため、非受光領域部８８が設けられていても、第１、第２の中央セル９０、９１および第１〜第６の外周セル８２〜８７の各受光面積はほぼ同じなる。
【０１７６】
これにより、第１実施形態と同様、指針７の重なりによって生じる第１、第２の中央セル９０、９１よび第１〜第６の外周セル８２〜８７の各受光面積の変動が最小限に抑えられる。このため、非受光領域部８８が設けられていても、第１、第２の中央セル９０、９１および第１〜第６の外周セル８２〜８７のすべての各受光量がほぼ均等になる。これにより、非受光領域部８８および指針７の運針位置に係わらず、ソーラーパネル８０全体で出力される出力電流が高い値で安定して得られ、ソーラーパネル８０全体で出力される電流値が最大限に高められる。
【０１７７】
このように、この第６実施形態における腕時計のソーラーパネル８０によれば、中央セル８１が貫通孔４６ａの周囲に沿って形成された第１中央セル９０と、この第１中央セル９０の外周に沿って形成された第２中央セル９１とに分割され、複数の外周セル８２〜８７が中央セル８１の外周に位置する内周側の第１、第２の外周セル８２、８３と、この内周側の第１、第２の外周セル８２、８の外周に位置する外周側の第３〜第６の外周セル８４〜８７とに分割され、これら第１中央セル９０、第２中央セル９１、および第１〜第６の外周セル８２〜８７の各受光量をほぼ均等にして、出力電流を最大限に向上させることができる。
【０１７８】
この場合、このソーラーパネル８０は、指針軸６に取り付けられた指針７が第１中央セル９０および第２中央セル９１に重なる遮光面積分を考慮して、第１、第２の中央セル９０、９１の各受光面積が第１〜第６の外周セル８２〜８７の各受光面積よりも大きく形成されていることにより、指針７による各セル８２〜８７、９０、９１の各受光面積の変動を最小限に抑えることができるので、各セル８２〜８７、９０、９１の各受光量をほぼ均等にして、出力電流を最大限に向上させることができる。
【０１７９】
また、このソーラーパネル８０では、複数の外周セル８２〜８７が中央セル８１の外周に位置する内周側の第１、第２の外周セル８２、８３と、この内周側の第１、第２の外周セル８２、８の外周に位置する外周側の第３〜第６の外周セル８４〜８７とに分割され、これらの各受光面積がほぼ同じ大きさに形成されているので、第１〜第６の外周セル８２〜８７の各受光量をほぼ均等にすることができる。
【０１８０】
すなわち、第１〜第６の外周セル８２〜８７のいずれかに指針７の一部が重なっても、指針７の重なりによって生じる第１、第２の中央セル９０、９１および第１〜第６の外周セル８２〜８７の各受光面積の変動を最小限に抑えることができるので、非受光領域部８８および指針７の運針位置に係わらず、第１、第２の中央セル９０、９１および第１〜第６の外周セル８２〜８７の各受光量をほぼ均等にすることができる。
【０１８１】
この場合、このソーラーパネル８０においても、その上方を第１〜第３の各機能針４２〜４４が運針すると共に、文字板４７に第１〜第３の各目盛部４２ａ〜４４ａが設けられていても、これらによって影になる面積を考慮して、第１、第２の中央セル９０、９１および第１〜第６の外周セル８２〜８７の各受光面積をほぼ同じにすることにより、第１、第２の中央セル９０、９１および第１〜第６の外周セル８２〜８７の各受光量をほぼ均等にすることができる。
【０１８２】
すなわち、ソーラーパネル８０の上方を運針する第１〜第３の各機能針４２〜４４、および文字板４７に設けられた第１〜第３の各目盛部４２ａ〜４４ａによって、ソーラーパネル８０が影になる面積を考慮して、第１、第２の中央セル９０、９１および第１〜第６の外周セル８２〜８７の各受光面積がほぼ同じなるように、各セル８２〜８７、９０、９１の形状および大きさが設定される。
【０１８３】
このため、第１〜第３の各機能針４２〜４４、第１〜第３の各目盛部４２ａ〜４４ａによる影響を最小限に抑えることができるので、第１、第２の中央セル９０、９１および第１〜第６の外周セル８２〜８７の各受光量をほぼ均等にすることができ、これにより出力電流を最大限に向上させることができる。
【０１８４】
さらに、このソーラーパネル８０では、すべてのセル８２〜８７、９０、９１のうち、中央セル８１および４時側と６時側とに位置する第１〜第３、第６の外周セル８２〜８４、８７によって囲われる非受光領域部８８が設けられていることにより、第３実施形態と同様、非受光領域部８８の下側にＧＰＳ用のアンテナ（図示せず）を設けることができ、これにより非受光領域部８８を通してアンテナで電波を良好に受信することができる。
【０１８５】
すなわち、このソーラーパネル８０では、各セル８２〜８７、９０、９１のセル数を第３実施形態よりも増やすことができるので、ＧＰＳ用のアンテナが搭載されて電池電圧が高くなっても、出力電流を十分に確保することができる。また、アンテナの感度を確保するために、ソーラーパネル８０全体の受光可能な面積が非受光領域部８８によって１／４程度狭くなる。このため、指針７の影が発電量に与える悪影響が極めて大きくなり、特に指針７が太い腕時計においては、発電量を約１．６倍向上させることができる。
【０１８６】
なお、上述した第６実施形態では、ソーラーパネル８０の非受光領域部８８を切欠き部として形成したが、フィルム基板のみで形成してこのフィルム基板を各セル８２〜８７、９０、９１と同じ色で着色した構成であっても良い。
【０１８７】
（第７実施形態）
次に、図１２（ａ）および図１２（ｂ）を参照して、この発明を指針式の腕時計に適用した第７実施形態について説明する。この場合には、図１１（ａ）および図１１（ｂ）に示された第６実施形態と同一部分に同一符号を付して説明する。
この指針式の腕時計は、図１２（ａ）および図１２（ｂ）に示すように、文字板４７上に見切り部９５を設け、この見切り部９５に応じて、ソーラーパネル９４における中央セル８１の第１、第２の中央セル９０、９１、および第１〜第６の外周セル８２〜８７の各形状が異なる構成であり、これ以外は第６実施形態とほぼ同じ構成になっている。
【０１８８】
この場合、見切り部９５は、図１２（ａ）に示すように、文字板４７の外周に設けられた第１見切り部９５ａと、第１機能針４２の第１目盛部４２ａの外周に設けられた第２見切り部９５ｂと、第２機能針４３の第２目盛部４３ａの外周に設けられた第３見切り部９５ｃと、第３機能針４４の第３目盛部４４ａの外周に設けられた第４見切り部９５ｄと、を備えている。
【０１８９】
これら第１〜第４の見切り部９５ａ〜９５ｄは、金属メッキ層や金属蒸着層、あるいは印刷層など、文字板４７よりも光透過率の低い層である。このため、ソーラーパネル９４における中央セル８１の第１、第２の中央セル９０、９１、および第１〜第６の外周セル８２〜８７は、図１２（ｂ）に示すように、その各境界が第１〜第４の見切り部９５ａ〜９５ｄに応じた形状で形成されている。
【０１９０】
すなわち、文字板４７の外周に位置する第１見切り部９５ａが対応する外周側の第３〜第６の外周セル８４〜８７は、第１見切り部９５ａで遮光されることを考慮して、その各面積が内周側の第１、第２の外周セル８２、８３の各面積よりも広く形成されている。これにより、外周側の第３〜第６の外周セル８４〜８７は、その受光面積が内周側の第１、第２の外周セル８２、８３の各受光面積とほぼ同じ広さに形成されている。
【０１９１】
また、第１機能針４２の第１目盛部４２ａの外周に設けられた第２見切り部９５ｂが対応する中央セル８１の外周側の第２中央セル９１は、第２見切り部９５ｂで遮光されることを考慮して、第２見切り部９５ｂに対応する個所が内周側の第１中央セル９０に食い込んで膨らんだ形状に形成されている。これにより、外周側の第２中央セル９１は、その受光面積が内周側の第１中央セル９０の各受光面積とほぼ同じ広さに形成されている。
【０１９２】
また、第２機能針４３の第２目盛部４３ａの外周に設けられた第３見切り部９５ｃが対応する内周側の第１外周セル８２は、第３見切り部９５ｃで遮光されることを考慮して、第３見切り部９５ｃに対応する個所が外周側の第６外周セル８７に食い込んで膨らんだ形状に形成されている。これにより、内周側の第１外周セル８２は、その受光面積が外周側の第６外周セル８７の各受光面積とほぼ同じ広さに形成されている。
【０１９３】
さらに、第３機能針４４の第３目盛部４４ａの外周に設けられた第４見切り部９５ｄが対応する内周側の第２外周セル８３は、第４見切り部９５ｄで遮光されることを考慮して、第４見切り部９５ｄに対応する個所が外周側の第３外周セル８４に食い込んで膨らんだ形状に形成されている。これにより、内周側の第２外周セル８３は、その受光面積が外周側の第３外周セル８４の各受光面積とほぼ同じ広さに形成されている。
【０１９４】
同様に、第３機能針４４の第３目盛部４４ａの外周に設けられた第４見切り部９５ｄが対応する外周側の第２中央セル９１は、第４見切り部９５ｄで遮光されることを考慮して、第４見切り部９５ｄに対応する個所が内周側の第１中央セル９０に食い込んで膨らんだ形状に形成されている。これにより、外周側の第２中央セル９１は、その受光面積が内周側の第１中央セル９０の各受光面積とほぼ同じ広さに形成されている。
【０１９５】
また、このソーラーパネル９４においても、第６実施形態と同様、複数の接続部９６によって順次直列に接続されている。すなわち、これら複数の接続部９６は、それぞれ導電ペーストからなり、互いに隣接する各セル８２〜８７、９０、９１の各下部電極１６と、これに隣接する他方のセル８２〜８７、９０、９１の各上部電極１８とを、それぞれ電気的に接続するように構成されている。
【０１９６】
この場合、複数の接続部９６は、図１２（ｂ）に示すように、見切り部９５に対応して設けられている。すなわち、外周側の第４〜第６の外周セル８５〜８７を接続する接続部９６は、文字板４７の外周に位置する第１見切り部９５ａの下に対応して設けられている。また、外周側の第６外周セル８７と内周側の第１外周セル８２とを接続する接続部９６は、第２機能針４３の第２目盛部４３ａの外周に位置する第３見切り部９５ｃの下に対応して設けられている。
【０１９７】
また、外周側の第３外周セル８４と内周側の第２外周セル８３とを接続する接続部９６、および内周側の第２外周セル８３と外周側の第２中央セル９１とを接続する接続部９６は、第３機能針４４の第３目盛部４４ａの外周に位置する第４見切り部９５ｄの下に対応して設けられている。なお、内周側の第１中央セル９０と内周側の第１外周セル８２とを接続する接続部９６は、第２機能針４３の第２目盛部４３ａの下側で、かつその貫通孔９１ｂの近傍に位置して設けられている。
【０１９８】
この場合にも、第１、第２の中央セル９０、９１および第１〜第６の外周セル８２〜８７のうち、最終端に位置する第３、第４の外周セル８４、８５は、図１２（ｂ）に示すように、接続部９６によって接続されていない。このため、第３外周セル８４の上部電極１８は、第１実施形態と同様、その外周部に位置する出力端子９６ａに接続されており、第４外周セル８５の下部電極１６は、その外周部に位置する出力端子９６ｂに接続されている。
【０１９９】
これら一対の出力端子９６ａ、９６ｂは、第１実施形態と同様、時計モジュール４１の一対の入力電極（図示せず）に接続されるように構成されている。これにより、ソーラーパネル９４は、発電した電力を時計モジュール４１の充電池（図示せず）に供給するように構成されている。
【０２００】
このような第７実施形態のソーラーパネル９４によれば、第６実施形態と同様の作用効果があるほか、ソーラーパネル９４の表面側に見切り部９５が設けられていることにより、装飾性に優れ、デザイン的に好ましいものを提供することができる。また、中央セル８１の第１、第２の中央セル９０、９１および第１〜第６の外周セル８２〜８７を直列に接続する各接続部９６が見切り部９５に対応して設けられていることにより、各接続部９６が外部から見えないように隠すことができ、かつ各接続部９６による受光面積の減少を防ぐことができる。
【０２０１】
すなわち、見切り部９５は、文字板４７の外周に設けられた第１見切り部９５ａと、第１機能針４２の第１目盛部４２ａの外周に設けられた第２見切り部９５ｂと、第２機能針４３の第２目盛部４３ａの外周に設けられた第３見切り部９５ｃと、第３機能針４４の第３目盛部４４ａの外周に設けられた第４見切り部９５ｄと、を備えているので、装飾性に優れ、デザイン的に好ましいものを提供することができる。
【０２０２】
この場合、中央セル８１の第１、第２の中央セル９０、９１および第１〜第６の外周セル８２〜８７は、その各境界が見切り部９６に応じた形状で形成されていることにより、見切り部９６に重なる各セル８２〜８７、９０、９１の各遮光面積を考慮して、各セル８２〜８７、９０、９１の各受光面積をほぼ同じにすることができる。すなわち、各セル８２〜８７、９０、９１の形状および大きさを設定することにより、第１、第２の中央セル９０、９１および第１〜第６の外周セル８２〜８７の各受光量をほぼ均等にすることができる。
【０２０３】
なお、上述した第７実施形態では、ソーラーパネル９４の非受光領域部８８を切欠き部として形成したが、フィルム基板のみで形成してこのフィルム基板を各セル８２〜８７、９０、９１と同じ色で着色した構成であっても良い。
【０２０４】
なお、上述した第１〜第７の各実施形態およびその変形例では、中央セル１０、２７、５０、６０、７０、８１の外周に複数の外周セル１１〜１５、２８〜３２、５１〜５７、６１〜６７、７１〜７７、８２〜８７が放射状に形成されている場合について述べたが、これに限らず、例えば複数の外周セル１１〜１５、２８〜３２、５１〜５７、６１〜６７、７１〜７７、８２〜８７を渦巻状に形成しても良く、また同心円状（リング状）に形成して良い。
【０２０５】
また、上述した第１〜第７の各実施形態およびその変形例では、中央セル１０、２７、５０、６０、７０、８１の外周に外周セル１１〜１５、２８〜３２、５１〜５７、６１〜６７、７１〜７７、８２〜８７を５つまたは６つに分割して設けた場合について述べたが、必ずしも外周セルは５つまたは６つに分割されている必要はなく、７個以上に分割して設けた構成であっても良い。
【０２０６】
また、上述した第３〜７実施形態の各実施形態およびその変形例では、非受光領域部５８、８８、または切欠き部５９を設けていたが、第１実施形態にあるようにソーラーパネルの外形形状を円形状とし、その全体に中央セルと複数の外周セルとを配置するようにしても良い。
【０２０７】
さらに、上述した第１〜第７の各実施形態およびその変形例では、指針式の腕時計に適用した場合について述べたが、必ずしも腕時計である必要はなく、例えばトラベルウオッチ、目覚まし時計、置き時計、掛け時計などの各種の指針式の時計に適用することができるほか、指針式のメータなどの計器類にも広く適用することができる。
【０２０８】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０２０９】
（付記）
請求項１に記載の発明は、中心部に設けられた貫通孔に指針軸が挿入され、この指針軸に取り付けられた指針が上方を運針するソーラーパネルにおいて、前記貫通孔の周囲に形成された中央セルと、この中央セルの外周にそれぞれほぼ同じ受光面積で形成された複数の外周セルとを有し、前記中央セルに前記指針が重なる遮光面積分を考慮して、前記中央セルの受光面積が前記複数の外周セルの各受光面積よりも大きく形成されていることを特徴とするソーラーパネルである。
【０２１０】
請求項２に記載の発明は、請求項１に記載のソーラーパネルにおいて、前記中央セルに前記指針が重なる前記遮光面積は、前記指針による最大遮光面積と最小遮光面積とのほぼ平均遮光面積であることを特徴とするソーラーパネルである。
【０２１１】
請求項３に記載の発明は、請求項１または請求項２に記載のソーラーパネルにおいて、前記中央セルと前記複数の外周セルとのうち、少なくとも１つ以上のセルによって囲われる非受光領域が設けられていることを特徴とするソーラーパネルである。
【０２１２】
請求項４に記載の発明は、請求項１〜請求項３のいずれかに記載のソーラーパネルにおいて、前記中央セルは、前記貫通孔の周囲に沿って形成された第１中央セルと、この第１中央セルの外周に沿って形成された第２中央セルと、を備えていることを特徴とするソーラーパネルである。
【０２１３】
請求項５に記載の発明は、請求項１〜請求項３のいずれかに記載のソーラーパネルにおいて、前記中央セルは、前記複数の外周セルよりも少ない数で、前記ソーラーパネルの中心部を境に複数に分割されていることを特徴とするソーラーパネルである。
【０２１４】
請求項６に記載の発明は、請求項１〜請求項５のいずれかに記載のソーラーパネルにおいて、前記複数の外周セルは、前記中央セルの外周に位置する内周側の複数の外周セルと、これら内周側の複数の外周セルの外周に位置する外周側の複数の外周セルとを有していることを特徴とするソーラーパネルである。
【０２１５】
請求項７に記載の発明は、請求項１〜請求項６のいずれかに記載のソーラーパネルにおいて、前記中央セルと前記複数の外周セルとは、各接続部によって直列に接続されていることを特徴とするソーラーパネルである。
【０２１６】
請求項８に記載の発明は、請求項１〜請求項７のいずれかに記載のソーラーパネルにおいて、前記ソーラーパネルの表面側には見切り部が設けられており、前記中央セルおよび前記複数の外周セルを接続する前記各接続部は前記見切り部に対応して設けられていることを特徴とするソーラーパネルである。
【０２１７】
請求項９に記載の発明は、請求項８に記載のソーラーパネルにおいて、前記中央セルおよび前記複数の外周セルの各境界は前記見切り部に応じた形状で形成されていることを特徴とするソーラーパネルである。
【０２１８】
請求項１０に記載の発明は、請求項１〜請求項９のいずれかに記載のソーラーパネルを備えていることを特徴とする時計である。
【符号の説明】
【０２１９】
１、４１  時計モジュール
３、２５、４６、８０、９４  ソーラーパネル
３ａ、２５ａ、４６ａ  貫通孔
４、４７  文字板
５、４１  時計ムーブメント
６  指針軸
７  指針
１０、２７、５０、６０、７０、８１  中央セル
１１〜１５、２８〜３２、５１〜５７、６１〜６７、７１〜７７  外周セル
１６  下部電極
１７  発電層
１８  上部電極
１９  保護膜
２０、９６  接続部
２６  表示窓部
３３  表示パネル
４０  腕時計ケース
５８  非受光領域部
６８、７８、９０  第１中央セル
６９、７９、９１  第２中央セル
８２〜８７  第１〜第６の外周セル
９５  見切り部
【図１】
2015072251.tif 000003
【図２】
2015072251.tif 000004
【図３】
2015072251.tif 000005
【図４】
2015072251.tif 000006
【図５】
2015072251.tif 000007
【図６】
2015072251.tif 000008
【図７】
2015072251.tif 000009
【図８】
2015072251.tif 000010
【図９】
2015072251.tif 000011
【図１０】
2015072251.tif 000012
【図１１】
2015072251.tif 000013
【図１２】
2015072251.tif 000014